【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
出力装置に対して宣伝データを配信する宣伝配信装置であって、
店舗を利用する顧客が決めた登録位置の位置情報をその顧客の登録情報として記憶する登録記憶手段と、
宣伝を必要とする店舗の端末から前記宣伝データの配信方法の選択指示を含む配信指示を受信する受信手段と、
前記選択の配信方法が前記宣伝を必要とする店舗の近傍位置を登録位置とした顧客の顧客端末に対するプッシュ配信の配信方法であれば、当該店舗の位置情報を取得する取得手段と、
前記取得手段で取得した前記店舗の位置情報と前記登録記憶手段に記憶された各顧客の登録位置の位置情報とに基づいて、前記店舗の近傍位置が顧客の登録位置として登録されている顧客を絞り込み、その絞り込まれた顧客の顧客端末を前記出力装置として前記宣伝データを配信する配信手段と、
を具備したことを特徴とする宣伝配信装置。
【請求項２】
前記登録記憶手段は、顧客が登録した居住地域あるいは勤務先地域の複数の登録位置を記憶し、
前記配信手段は、前記店舗の位置情報と前記登録記憶手段に記憶された各顧客の複数の登録位置の位置情報とに基づいて、前記店舗の近傍位置が顧客の複数の登録位置の何れかに登録されている顧客を絞り込むことで配信する、
ことを特徴とする請求項１に記載に宣伝配信装置。
【請求項３】
前記宣伝データの配信を受けた前記顧客端末は、前記宣伝データの対象となる店舗の位置から当該顧客端末の現在位置までの距離が所定範囲内にあることを条件に前記宣伝データを出力する、
ことを特徴とする請求項１又は２の何れかに記載の宣伝配信装置。
【請求項４】
複数の店舗の位置情報を記憶する店舗記憶手段と、
を更に具備し、
前記取得手段は、前記店舗記憶手段に記憶された各店舗の位置情報に内で、前記宣伝データの配信指示を行った端末の店舗に該当する店舗の位置情報を取得する、
ことを特徴とする請求項１〜３の何れかに記載の宣伝配信装置。
【請求項５】
出力装置に対して宣伝データを配信する宣伝配信装置であって、
店舗を利用する各顧客の売上実績情報を記憶する売上記憶手段と、
宣伝を必要とする店舗の端末から前記宣伝データの配信方法の選択指示を含む配信指示を受信する受信手段と、
前記選択の配信方法が前記宣伝を必要とする店舗における顧客の売上実績に基づくメルマガ配信の配信方法であれば、宣伝を必要とする前記店舗における各顧客の売上実績情報を前記売上記憶手段で参照することで、その売上実績情報に基づいて前記宣伝データの配信対象となる顧客を絞り込み、その絞り込まれた顧客の顧客端末を前記出力装置として前記宣伝データを配信する配信手段と、
を具備したことを特徴とする宣伝配信装置。
【請求項６】
出力装置に対して宣伝データを配信する宣伝配信装置のコンピュータを制御するためのプログラムであって、
前記コンピュータを、
店舗を利用する顧客が決めた登録位置の位置情報をその顧客の登録情報として記憶する登録記憶手段、
宣伝を必要とする店舗の端末から前記宣伝データの配信方法の選択指示を含む配信指示を受信する受信手段、
前記選択の配信方法が前記宣伝を必要とする店舗の近傍位置を登録位置とした顧客の顧客端末に対するプッシュ配信の配信方法であれば、当該店舗の位置情報を取得する取得手段、
前記取得手段で取得した前記店舗の位置情報と前記登録記憶手段に記憶された各顧客の登録位置の位置情報とに基づいて、前記店舗の近傍位置が顧客の登録位置として登録されている顧客を絞り込み、その絞り込まれた顧客の顧客端末を前記出力装置として前記宣伝データを配信する配信手段、
として機能させるようにしたコンピュータ読み取り可能なプログラム。
【請求項７】
出力装置に対して宣伝データを配信する宣伝配信装置のコンピュータを制御するためのプログラムであって、
前記コンピュータを、
店舗を利用する各顧客の売上実績情報を記憶する売上記憶手段、
宣伝を必要とする店舗の端末から前記宣伝データの配信方法の選択指示を含む配信指示を受信する受信手段、
前記選択の配信方法が前記宣伝を必要とする店舗における顧客の売上実績に基づくメルマガ配信の配信方法であれば、宣伝を必要とする前記店舗における各顧客の売上実績情報を前記売上記憶手段で参照することで、その売上実績情報に基づいて前記宣伝データの配信対象となる顧客を絞り込み、その絞り込まれた顧客の顧客端末を前記出力装置として前記宣伝データを配信する配信手段、
として機能させるようにしたコンピュータ読み取り可能なプログラム。  
【手続補正２】
【補正対象書類名】明細書
【補正対象項目名】発明の名称
【補正方法】変更
【補正の内容】
【発明の名称】宣伝配信装置及びプログラム
【手続補正３】
【補正対象書類名】明細書
【補正対象項目名】０００１
【補正方法】変更
【補正の内容】
【０００１】
本発明は、店舗用の宣伝データを配信する宣伝配信装置に関する。  
【手続補正４】
【補正対象書類名】明細書
【補正対象項目名】０００６
【補正方法】変更
【補正の内容】
【０００６】
本発明の課題は、集客効果の高い宣伝を実現できるようにすることである。  
【手続補正５】
【補正対象書類名】明細書
【補正対象項目名】０００７
【補正方法】変更
【補正の内容】
【０００７】
請求項１の発明は、出力装置に対して宣伝データを配信する宣伝配信装置であって、店舗を利用する顧客が決めた登録位置の位置情報をその顧客の登録情報として記憶する登録記憶手段と、宣伝を必要とする店舗の端末から前記宣伝データの配信方法の選択指示を含む配信指示を受信する受信手段と、前記選択の配信方法が前記宣伝を必要とする店舗の近傍位置を登録位置とした顧客の顧客端末に対するプッシュ配信の配信方法であれば、当該店舗の位置情報を取得する取得手段と、前記取得手段で取得した前記店舗の位置情報と前記登録記憶手段に記憶された各顧客の登録位置の位置情報とに基づいて、前記店舗の近傍位置が顧客の登録位置として登録されている顧客を絞り込み、その絞り込まれた顧客の顧客端末を前記出力装置として前記宣伝データを配信する配信手段と、を具備したことを特徴とする。
【手続補正６】
【補正対象書類名】明細書
【補正対象項目名】０００８
【補正方法】変更
【補正の内容】
【０００８】
請求項５の発明は、出力装置に対して宣伝データを配信する宣伝配信装置であって、店舗を利用する各顧客の売上実績情報を記憶する売上記憶手段と、宣伝を必要とする店舗の端末から前記宣伝データの配信方法の選択指示を含む配信指示を受信する受信手段と、前記選択の配信方法が前記宣伝を必要とする店舗における顧客の売上実績に基づくメルマガ配信の配信方法であれば、宣伝を必要とする前記店舗における各顧客の売上実績情報を前記売上記憶手段で参照することで、その売上実績情報に基づいて前記宣伝データの配信対象となる顧客を絞り込み、その絞り込まれた顧客の顧客端末を前記出力装置として前記宣伝データを配信する配信手段と、を具備したことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、集客効果の高い宣伝を実現することができる。